(57)【特許請求の範囲】
【請求項１】
背板を、上下方向を向く左右１対の背板支持部材の対向面間に取付けてなる組立式陳列装置において、
前記左右いずれかの背板支持部材の内側面に、前記背板の側端部が嵌合可能な上方及び内方に開口する上下方向の凹溝を設け、前記背板支持部材の上端部における前記凹溝の前後の縁部に、上方に開口する前後１対の係止溝を、前記凹溝と連通するように設け、前記背板の側端部を前記凹溝に嵌合させるとともに、前記背板の側端部に取付けた背板取付具における前方及び後方を向く前後１対の垂直係止片を、前記前後の係止溝に上方より落とし込んで係合させることにより、背板支持部材の対向面間に背板を取り付けたことを特徴とする組立式陳列装置。
【請求項２】
背板取付具は、背板支持部材の凹溝と背板の側端部に嵌合可能な平面視内向きコ字状の嵌合部を備え、この嵌合部の前後の内縁に、前後１対の垂直係止片を連設したものとし、前記嵌合部を背板の側端部に嵌合してねじ止めすることにより、背板取付具を背板の側端部に取付けてなる請求項１記載の組立式陳列装置。
【請求項３】
前後の垂直係止片の少なくともいずれか一方を、背板支持部材にねじにより固定してなる請求項１または２記載の組立式陳列装置。
【請求項４】
背板支持部材が、金属製の内パネルと、内部に上方に開口する空間が形成されるようにして、前記内パネルに接合された金属製の外パネルとを備え、前記内パネルに凹溝と係止溝を設けてなる請求項１〜３のいずれかに記載の組立式陳列装置。
【請求項５】
背板支持部材の上端面を、カバーにより覆うとともに、このカバーの下面より垂下する下向片を、開口内において内パネルの外側面に当接させて、前記下向片と、背板取付具における前後の垂直係止片の少なくともいずれか一方とを、ねじにより内パネルに固定してなる請求項４記載の組立式陳列装置。
【発明の詳細な説明】
【技術分野】
【０００１】
本発明は、背板を、上下方向を向く左右１対の側板または支柱等の背板支持部材の対向面間に取付けてなる、例えば書籍等の組立式陳列装置に関する。
【背景技術】
【０００２】
このような組立式陳列装置においては、左右の側板や支柱の上端部間に横連結材を横架し、この横連結材により、背板の上端部を固定するようにしたもの(例えば特許文献１、２参照)や、左右の側板(側面パネル)の上端部の対向面に、上方に開口する係止孔を備える係止具を取付け、この両係止具の係止孔に、背板(背面パネル)の上端両側部に設けた下向きの係止片を嵌合して、背板の上端部を固定するようにしたもの(例えば特許文献３参照)がある。
【先行技術文献】
【特許文献】
【０００３】
【特許文献１】特開２００４−１３５９４０号公報
【特許文献２】特開２００５−１９２７６５号公報
【特許文献３】特開２００８−１４８７６１号公報
【発明の概要】
【発明が解決しようとする課題】
【０００４】
上記特許文献１及び２に記載されている陳列装置のように、背板の上端部を横連結材により固定するようにすると、陳列装置の左右幅、すなわち背板の左右寸法に対応して、長さの異なる横連結材を複数製作してこれを在庫しておく必要があるので、コスト高となるとともに、部品の管理も煩雑となる。
特許文献３に記載の陳列装置は、横連結材が不要となるので、コスト的に有利である。しかし、背板の上端部に、係止片を設けるための折曲加工を施す必要があるため、製造コストが増大するとともに、通常の平板状の背板を使用することができないという問題がある。
【０００５】
本発明は、上記問題点に鑑みてなされたもので、横連結材を用いたり、背板に特別な加工を施したりすることなく、背板を、左右１対の背板支持部材の対向面間に、安価かつ簡単な手段で容易に取り付けうるようにした組立式陳列装置を提供することを目的としている。
【課題を解決するための手段】
【０００６】
本発明によると、上記課題は、次の各項のようにして解決される。
（１）背板を、上下方向を向く左右１対の背板支持部材の対向面間に取付けてなる組立式陳列装置において、前記左右いずれかの背板支持部材の内側面に、前記背板の側端部が嵌合可能な上方及び内方に開口する上下方向の凹溝を設け、前記背板支持部材の上端部における前記凹溝の前後の縁部に、上方に開口する前後１対の係止溝を、前記凹溝と連通するように設け、前記背板の側端部を前記凹溝に嵌合させるとともに、前記背板の側端部に取付けた背板取付具における前方及び後方を向く前後１対の垂直係止片を、前記前後の係止溝に上方より落とし込んで係合させることにより、背板支持部材の対向面間に背板を取り付ける。
【０００７】
このような構成とすると、背板の側端部を、背板支持部材の内側面に、背板取付具を用いて取り付けているので、従来のように、左右寸法の長い横連結材を使用したり、陳列装置の左右幅に対応して、異なる長さの横連結材を用意したりする必要がなく、コスト低減が図れる。
また、横連結材を使用せず、かつ背板取付具も外部に大きく露呈しないので、背板の上端部の見栄えが向上する。
さらに、背板の側端部に背板取付具を取付け、その前後の垂直係止片を、背板支持部材の上端部における凹溝の前後の縁部に設けた前後１対の係止溝に、上方より落とし込んで係合させるだけの簡単な作業で、背板の側端部を背板支持部材の内側面に取り付けうるため、組立てが容易であり、かつ背板に特別な加工を施す必要もないので、安価に実施することができる。
【０００８】
（２）上記(１)項において、背板取付具は、背板支持部材の凹溝と背板の側端部に嵌合可能な平面視内向きコ字状の嵌合部を備え、この嵌合部の前後の内縁に、前後１対の垂直係止片を連設したものとし、前記嵌合部を背板の側端部に嵌合してねじ止めすることにより、背板取付具を背板の側端部に取付ける。
【０００９】
このような構成とすると、背板取付具を、簡単に位置決めして背板の側端部に固定しうるとともに、背板取付具の前後方向の曲げ強度が大きくなり、かつ、嵌合部により背板の側端部が補強されるので、背板の側端部を、背板支持部材の内側面に安定よく取付けることができる。
【００１０】
（３）上記(１)または(２)項において、前後の垂直係止片の少なくともいずれか一方を、背板支持部材にねじにより固定する。
【００１１】
このような構成とすると、背板取付具及び背板が、上下方向にがたつくのが防止される。
【００１２】
（４）上記(１)〜(３)項のいずれかにおいて、背板支持部材が、金属製の内パネルと、内部に上方に開口する空間が形成されるようにして、前記内パネルに接合された金属製の外パネルとを備え、前記内パネルに凹溝と係止溝を設ける。
【００１３】
このような構成とすると、内パネルをプレス等により折曲するだけで、凹溝を背板支持部材の内側面に容易に設けることができ、また、内パネルにおける凹溝形成部の上端部を切り欠くだけで、係止溝を簡単に設けることができる。
【００１４】
(５)上記(４)項において、背板支持部材の上端面を、カバーにより覆うとともに、このカバーの下面より垂下する下向片を、開口内において内パネルの外側面に当接させて、前記下向片と、背板取付具における前後の垂直係止片の少なくともいずれか一方とを、ねじにより内パネルに固定する。
【００１５】
このような構成とすると、背板支持部材の上端の開口面が、カバーにより体裁よく覆われるとともに、カバーと背板取付具とを、上下方向にがたつかないように、ねじにより内パネルに容易に共締めすることができる。
【発明の効果】
【００１６】
本発明によれば、横連結材を用いたり、背板に特別な加工を施したりすることなく、背板を、左右１対の背板支持部材の対向面間に、安価かつ簡単な手段で容易に取り付けうるようにした組立式陳列装置を提供することができる。
【図面の簡単な説明】
【００１７】
【図１】本発明の組立式陳列装置の正面図である。
【図２】同じく、上端部の拡大分解斜視図である。
【図３】同じく、側板への背板取付後の拡大斜視図である。
【図４】図１のＩＶ−ＩＶ線拡大横断平面図である。
【発明を実施するための形態】
【００１８】
以下、本発明の一実施形態を、図面に基づいて説明する。
図１は、本発明の書籍陳列用の組立式陳列装置の正面図、図２は、その上部の拡大分解斜視図で、この陳列装置は、背板支持部材である左右１対の側板１、１と、両側板１、１の後部寄り(以下、図２の左手前左方を前として説明する)の下端部の対向面同士を連結している横連結杆２と、両側板１、１の対向面に高さ調節可能に係止された上下複数の棚板３と、同じく、両側板１、１の後部寄りの対向面により両側端部が保持され、かつ下端が横連結杆２の上面の凹溝４により受支された背板５とを備えている。
【００１９】
左右の側板１、１は、金属薄板よりなる内パネル１ａと外パネル１ｂとからなり、それらの前後の端部を、内部に上方に開口する空間６が形成されるように折曲して重合させ、かつ互いに重合する部分の複数箇所をスポット溶接により接合して形成されている。
【００２０】
背板５は、金属薄板よりなる前面パネル５ａと後面パネル５ｂとからなり、それらの周縁部を、内部に空間が形成されるようにスポット溶接により接合して形成されている。背板５の内部空間には、図４に示すように、平面視コ字状断面をなす上下方向の左右複数の補強板７が固着され、厚さ方向の強度を大としてある。
【００２１】
左右の内パネル１ａの前後部には、棚板３支持用の支持金具(図示略)を係止するための係止孔８が、上下方向に一定間隔おきに多数列設されている。
また、両内パネル１ａ、１ａの後端部の内面には、その部分を外側方に向かって平面視コ字状に折曲することにより、上下両方向と内側方に開口する上下方向の凹溝９、９が、内パネル１ａの全長に亘って形成されている。この凹溝９には、背板５の両側端部と、その上端部に取付けられる後記する背板取付具１１のコ字状の嵌合部１４とが嵌合されるようになっている。
【００２２】
両内パネル１ａにおける凹溝９が形成された部分の上端部には、凹溝９形成部の内方の前後の角部付近を切り欠くことにより、前後両方向と上方に開口する縦長スリット状の前後１対の係止溝１０、１０が、凹溝９と連通するように対向状に形成されている。
【００２３】
背板５の上端部の両側部は、左右対称形をなす左右１対の金属製の背板取付具１１、１１により、両側板１、１の対向面に、次のようにして取り付けられている。
左右の背板取付具１１、１１は、垂直片１２とその前後の端縁より内側方に直角に折曲された側片１３、１３とからなる平面視内向きコ字状の嵌合部１４と、両側片１３の内方の端縁より前方及び後方に直角に折曲された、上下寸法が嵌合部１４の上下寸法よりも長寸をなす前後１対の下向きフック状の垂直係止片１５、１５とからなっている。嵌合部１４の左右寸法は、側板１における内パネル１ａの凹溝９の深さよりも若干短寸で、かつ同じく前後寸法は、凹溝９内と背板５の側端部とにがたなく嵌合可能な寸法とされている。
【００２４】
図２に示すように、左右の側板１、１の上端開口部には、カバー１６、１６(右方のカバーは図示略)が上方より取付けられるようになっている。このカバー１６は、開口面を覆いうる大きさの前後方向に細長い平板状の閉塞板１７と、その前後の両端部下面に固着された、側板１の空間６内に嵌合される正面視下向きコ字状の嵌合片１８、１８とからなり、両嵌合片１８における左右の下向片１８ａ、１８ａの内側のものには、めねじ孔１９が形成されている。
【００２５】
左右の側板１、１間に背板５を取付けるには、まず背板５の上端部の左右両側部に、背板取付具１１のコ字状の嵌合部１４を、上方または外側方より嵌合し、垂直片１２に穿設された通孔２０より挿入した止めねじ２１を、背板５の上端部側面に設けためねじ孔２２(図４参照)に螺合することにより、左右の背板取付具１１を、背板５の上端部の左右両側部に固定する。
【００２６】
ついで、図３及び図４に示すように、背板５の両側端部と左右の背板取付具１１の嵌合部１４とを、嵌合部１４の前後の垂直係止片１５、１５が側板１の空間６内において、内パネル１ａの外側面と摺接するようにして、凹溝９に上方より嵌合させながら、前後の側片１３、１３の内端部を、内パネル１ａにおける凹溝９の上端部の前後１対の係止溝１０、１０に、その下端まで上方より落とし込んで係合させる。これにより、背板５は、その両側部が内パネル１ａの凹溝９により保持されるようにして、左右の側板１、１間に取り付けられる。取付後においては、背板取付具１１に背板５の自重が加わっているので、背板取付具１１が係止溝１０より上方に簡単に抜け外れる恐れはない。
【００２７】
背板５を取付けたのち、カバー１６の前後の嵌合片１８を側板１の空間６に嵌合し、背板取付具１１の後部の垂直係止片１５に設けた通孔２３、及びそれと整合するように内パネル１ａの後上部に設けた通孔２３に内方より挿入した止めねじ２４を、前部側の嵌合片１８における内方の下向片１８ａのめねじ孔１９に螺合することにより、カバー１６の後部の嵌合片１８と背板取付具１１とを共締めする。これにより、側板１に対し、背板取付具１１及び背板５が上下方向にがたつくのが確実に防止される。なお、カバー１６を装着しないときには、前後いずれか一方または両方の垂直係止片１５にめねじ孔を設け、このめねじ孔に止めねじ２４を螺合して、背板取付具１１を背板５に固定するようにしてもよい。
【００２８】
図２に示すように、カバー１６の前部の嵌合片１８は、その内方の下向片１８ａのめねじ孔１９に、内パネル１ａの前上部に設けた通孔２３より挿入した止めねじ２４を螺合することにより、内パネル１ａに固定されている。
【００２９】
以上説明したように、上記実施形態の組立式陳列装置においては、背板５を、左右の側板１、１の対向面間に、左右１対の背板取付具１１、１１を用いて取り付けているので、従来のように、左右寸法の長い横連結材を使用したり、陳列装置の左右幅に対応して、異なる長さの横連結材を用意したりする必要がなく、コスト低減が図れる。
【００３０】
また、横連結材が不要であるとともに、背板取付具１１の嵌合部１４は、内パネル１ａの凹溝９に嵌合され、背板取付具１１が外部に大きく露呈しないので、背板５の上端部の見栄えが向上する。
【００３１】
さらに、背板５の上端部の左右両側部に、背板取付具１１のコ字状をなす嵌合部１４をねじ止めし、前後の垂直係止片１５、１５を、側板１の内パネル１ａの凹溝９の上端部の係止溝１０、１０に、上方より落とし込んで係合させるだけの簡単な作業で、背板５を左右の側板１、１の対向面間に取り付けうるため、組立てが容易であり、かつ背板５に特別な加工を施す必要もないので、安価に実施することができる。
【００３２】
本発明は、上記実施形態に限定されるものではない。
上記実施形態では、背板取付具１１を、背板５の側端部に嵌合される平面視コ字状をなす嵌合部１４における両側片１３の内縁に、前後１対の垂直係止片１５、１５を連設したものとしてあるが、例えば、背板取付具を、前後対称をなす平面視Ｌ字状の前後１対の背板取付具よりなるものとし、これらを、背板５の左右両側部における上端部の前後両面にねじ止めしたものや、背板取付具を、両係止溝１０に係合可能な１枚の垂直係止片よりなるものとし、これを、背板５の左右両側部に設けたスリット状の凹溝内に、前後両方向に突出するように固着したものとすることもある。
【００３３】
また、上記実施形態では、前後の係止溝１０を、内パネル１ａにおける凹溝９形成部の内端部に設けたが、凹溝形成部の左右方向の中間部の対向面に設けることもある。
【００３４】
さらに、上記実施形態では、背板５の両側端部を、左右１対の背板取付具１１、１１をもって、左右の側板１、１の対向面に取付けてあるが、背板５の左右いずれか一方を、背板取付具１１により一方の側板１の内側面に取付け、他方の側端部は、別の固定手段により、他方の側板１の内面に取付けるようにすることもある。
【００３５】
上記実施形態では、背板支持部材を側板としたが、支柱であってもよい。
また、背板５は、所定の厚さの木製パネル等により形成したものであってもよい。
【符号の説明】
【００３６】
１  側板(背板支持部材)
１ａ内パネル
１ｂ外パネル
２  横連結杆
３  棚板
４  凹溝
５  背板
５ａ前面パネル
５ｂ後面パネル
６  空間
７  補強板
８  係止孔
９  凹溝
１０  係止溝
１１  背板取付具
１２  垂直片
１３  側片
１４  嵌合部
１５  垂直係止片
１６  カバー
１７  閉塞板
１８  嵌合片
１８ａ下向片
１９  めねじ孔
２０  通孔
２１  止めねじ
２２  めねじ孔
２３  通孔
２４  止めねじ
【図１】
0005503369.tif 000002
【図２】
0005503369.tif 000003
【図３】
0005503369.tif 000004
【図４】
0005503369.tif 000005